(57)【要約】【課題】送風機による騒音を低減させる。【解決手段】ダクト１０２の吸気口１１０の取付部１２０はスポンジ２５０にのみに接触して保持し、ファン２００には直接接触していない。よって、ファン２００の振動はスポンジ２５０を介してのみダクト１０２（吸気口１１０）に伝達される。そして、スポンジ２５０はファン２００の振動を吸収し減衰させるので、ダクト１０２（吸気口１１０）に伝達される振動は低減される。よって、ファン２００による騒音が低減する。【選択図】図４
2014185568.tif 000002
【特許請求の範囲】
【請求項１】
送風機の側面に設けられた緩衝部材と、
前記送風機が取り付けられる送風管に設けられ、前記緩衝部材の側面を抑える側面抑部と前記緩衝部材における前記送風機の吸気側の前面を抑える前面抑部とを有し、前記緩衝部材を保持することで前記送風管に前記送風機を取り付ける取付手段と、
を備える送風機の取付構造。
【請求項２】
前記取付手段は、前記緩衝部材の前記送風機の吸気側と反対側の後面を抑える後面抑部を有している、
請求項１に記載の送風機の取付構造。
【請求項３】
前記側面抑部は、前記送風機の側面から離れる方向に弾性変形可能に構成されている、
請求項１又は請求項２に記載の送風機の取付構造。
【請求項４】
前記送風機は、電気を供給する電線を有し、
前記緩衝部材は帯状とされ、
帯状の前記緩衝部材は長手方向の一端部と他端部とが接触又は対向して前記送風機の側面に巻かれて接着されていると共に、前記緩衝部材の前記一端部と前記他端部との接触面間又は対向面間に前記電線が配設されている、
請求項１〜請求項３のいずれか１項に記載の送風機の取付構造。
【請求項５】
前記送風機は、前記側面抑部と前記前面抑部とに沿って、送風方向と交差する方向に移動して前記送風管に装着可能に構成されている、
請求項１〜請求項４のいずれか１項に記載の送風機の取付構造。
【請求項６】
記録媒体に画像を形成する画像形成部と、
前記記録媒体に前記画像を定着させる定着装置と、
請求項１〜請求項５のいずれか１項に記載の送風機の取付構造によって送風機が取り付けられ、前記定着装置に外気を導く送風管と、
を備える画像形成装置。
【発明の詳細な説明】
【技術分野】
【０００１】
本発明は、送風機の取付構造及び画像形成装置に関する。
【背景技術】
【０００２】
特許文献１には、画像形成装置の機体に設けられた送風ダクトに対して送風ファンを取り付けるための技術が開示されている。この先行技術では、送風ファンのケーシングの周囲に弾性部材を巻き回すと共に、かかる弾性部材を押し潰すようにして送風ファンを送風ダクト内に嵌め込み、弾性部材が元の形状に復元しようとする弾性力を利用して送風ファンを送風ダクト内に固定するようにしている。
【０００３】
特許文献２には、種々の装置の筐体にファンを取り付けて固定するためのファン固定装置に関する技術が開示されている。この先行技術では、ファンを装置筐体に取り付けるための筒状の固定部材をゴム等の弾性部材で一体成形する。また、固定部材の装置筐体への取り付け面側端部位置に、装置筐体への取り付け用の凸部を内側に向けて対角線上に２個所形成すると共に、他の対角線上に、ファンを固定するための凸部を装置筐体への取り付け面側端部位置から離間させて２個所形成する。そして、凸部のねじ穴にねじを通して装置筐体にねじ込み、凸部にファンをねじで固定している。
【先行技術文献】
【特許文献】
【０００４】
【特許文献１】特開平１１−１０９８２９号公報
【特許文献２】特開２０００−１７２０３１号公報
【発明の開示】
【発明が解決しようとする課題】
【０００５】
本発明は、送風機の振動による騒音を低減させることが課題である。
【課題を解決するための手段】
【０００６】
請求項１の発明は、送風機の側面に設けられた緩衝部材と、前記送風機が取り付けられる送風管に設けられ、前記緩衝部材の側面を抑える側面抑部と前記緩衝部材における前記送風機の吸気側の前面を抑える前面抑部とを有し、前記緩衝部材を保持することで前記送風管に前記送風機を取り付ける取付手段と、を備えている。
【０００７】
請求項２の発明は、前記取付手段は、前記緩衝部材の前記送風機の吸気側と反対側の後面を抑える後面抑部を有している。
【０００８】
請求項３の発明は、前記側面抑部は、前記送風機の側面から離れる方向に弾性変形可能に構成されている。
【０００９】
請求項４の発明は、前記送風機は、電気を供給する電線を有し、前記緩衝部材は帯状とされ、帯状の前記緩衝部材は長手方向の一端部と他端部とが接触又は対向して前記送風機の側面に巻かれて接着されていると共に、前記緩衝部材の前記一端部と前記他端部との接触面間又は対向面間に前記電線が配設されている。
【００１０】
請求項５の発明は、前記送風機は、前記側面抑部と前記前面抑部とに沿って、送風方向と交差する方向に移動して前記送風管に装着可能に構成されている。
【００１１】
請求項６の発明は、記録媒体に画像を形成する画像形成部と、前記記録媒体に前記画像を定着させる定着装置と、請求項１〜請求項５のいずれか１項に記載の送風機の取付構造によって送風機が取り付けられ、前記定着装置に外気を導く送風管と、を備えている。
【発明の効果】
【００１２】
請求項１に記載の発明によれば、取付手段が送風機を保持して送風管に取り付ける場合と比較し、送風機の振動による騒音を低減させることができる。
【００１３】
請求項２に記載の発明によれば、取付手段が後面抑部を有しない場合と比較し、送風機を送風管に対して、より強固に取り付けることができる。
【００１４】
請求項３に記載の発明によれば、側面抑部が弾性変形可能でない場合と比較し、送風機の振動が送風管へ伝播することをさらに低減させることができる。
【００１５】
請求項４に記載の発明によれば、電線を配設する隙間を緩衝部材に予め形成する場合と比較し、送風機の側面に緩衝部材を容易に設けることができる。
【００１６】
請求項５に記載の発明によれば、送風機を送風方向に送風管に装着する場合と比較し、送風機の送風管への取り付けが容易である。
【００１７】
請求項６に記載の発明によれば、請求項１〜請求項５のいずれか１項に記載の送風機の取付構造でない構造で送風機を送風管に取り付ける場合と比較し、定着装置を外気で冷却しつつ、送風機による騒音を低減させることができる。
【図面の簡単な説明】
【００１８】
【図１】本発明の一実施形態に係る画像形成装置の外観を示す斜視図である。
【図２】本発明の一実施形態に係る画像形成装置の構成を示す構成図である。
【図３】図１に示す画像形成装置の外装カバーを外した状態を示す斜視図である。
【図４】本発明の一実施形態に係る送風機構を示す正面図である。
【図５】図４の５−５線に沿った縦断面図である。
【図６】図４の６−６線に沿った水平断面図である。
【図７】本発明の一実施形態に係る送風機構を装置斜め後方向側から見た斜視図である。
【図８】本発明の一実施形態に係る送風機構を装置斜め後方向下側から見た斜視図である示す斜視図である。
【図９】本発明の一実施形態に係る送風機構を装置正面側から見た側面図である。
【図１０】本発明の一実施形態に係る送風機構を装置斜め前方上側から見た斜視図である。
【図１１】ファンを吸気口に取り付ける取付方法を説明するための図１０に対応した斜視図である。
【図１２】スポンジを側面に接着した状態のファンを示す斜視図である。
【図１３】本発明が適用されていない送風機構を装置斜め前方上側から見た図１０に対応する斜視図である。
【発明を実施するための形態】
【００１９】
本発明の実施形態に係る画像形成装置の一例について説明する。なお、以後の説明の理解を容易にするために、装置の前後方向をＸ軸方向、装置の幅方向（左右方向）をＹ軸方向、上下方向をＺ軸方向とし、矢印Ｘ，−Ｘ，Ｙ，−Ｙ，Ｚ，−Ｚでそれぞれ示す。なお、Ｘ方向が装置前側である。また、以下の図面を使用した説明において、理解の容易のために説明に必要な部材以外の図示は適宜省略されている。
【００２０】
（全体構成）
まず、画像形成装置の全体構成について説明する。
【００２１】
図１及び図２に示すように、画像形成装置１０の外装カバー１３の前面には、開閉可能な給紙トレイ１２が設けられている。給紙トレイ１２は、矢印Ｓ１で示すように回転させて開くことで、図２に示すように、記録用紙やＯＨＰシート等のシート状の記録媒体Ｐが収容される収容部１４の前方側部分を構成するようになっている。
【００２２】
また、図１及び図２に示すように、画像形成装置１０の外装カバー１３の上面には、開閉可能な排紙トレイ１６が設けられている。排紙トレイ１６は、矢印Ｓ２で示すように回転させて開くことで、図２に示すように、画像が形成された記録媒体Ｐが排出される排出部１８の一部を構成するようになっている。
【００２３】
図２に示すように、画像形成装置１０には、前述した記録媒体Ｐが収容される収容部１４と、記録媒体Ｐに画像を形成する画像形成部５０と、画像形成部５０によって記録媒体Ｐに形成された画像を記録媒体Ｐに定着する定着装置６０と、収容部１４から画像形成部５０へ記録媒体Ｐを搬送する搬送部２２と、画像形成装置１０の各部に電気を供給すると共に各部の動作を制御する制御部２０と、が設けられている。また、画像形成装置１０の上部には、前述した定着装置６０によって画像が定着された記録媒体Ｐが排出される排出部１８が設けられている。
【００２４】
制御部２０は、コントロールＣと、コントロールＣにより動作が制御される画像処理部ＧＳと、潜像形成回路の一例としての駆動回路ＤＬと、電源装置Ｅと、その他図示してない制御回路等を有している。電源装置Ｅは、後述する帯電ロール２３、現像ロール３６、転写ロール２６等に電圧を印加すると共に送風機の一例としてのファン２００（図３及び図１２参照）等に電気を供給する。
【００２５】
また、画像処理部ＧＳは、外部の情報送信装置の一例としてのコンピュータ等から入力された印刷情報を潜像形成用の画像情報に変換して予め設定された時期、すなわち、タイミングで駆動回路ＤＬに出力する。駆動回路ＤＬは、入力された画像情報に応じて駆動信号を後述する露光装置２４に出力する。
【００２６】
画像形成部５０は、画像を保持する像保持体の一例としての感光体ドラム３２を有している。感光体ドラム３２は、Ｙ軸方向を回転軸方向として一方向（例えば、図１における時計回り方向）へ回転するようになっている。感光体ドラム３２の周囲には、感光体ドラム３２の回転方向上流側から順に、感光体ドラム３２を帯電させる帯電装置の一例としての帯電ロール２３と、帯電ロール２３によって帯電した感光体ドラム３２を露光して感光体ドラム３２に静電潜像を形成する露光装置２４と、露光装置２４によって感光体ドラム３２に形成された静電潜像を現像してトナー画像を形成する現像装置３０と、現像装置３０によって感光体ドラム３２に形成されたトナー画像を記録媒体Ｐに転写する転写ロール２６と、転写されないで感光体ドラム３２に残留する残留トナーを除去するクリーニング装置２５と、を備えている。
【００２７】
露光装置２４は装置左右方向（Ｙ軸方向）に沿って、予め設定された間隔でＬＥＤが線状に配置された装置、いわゆるＬＥＤヘッドによって構成されている。また、露光装置２４は制御部２０（駆動回路ＤＬ）から送られた画像信号に基づき感光体ドラム３２を露光し、感光体ドラム３２に静電潜像を形成するようになっている。
【００２８】
露光装置２４及びクリーニング装置２５の装置前側には、トナーが収容されているトナー収容容器としてのトナーカートリッジＴＣが設けられている。
【００２９】
トナーカートリッジＴＣと現像装置３０との間には、トナーカートリッジＴＣから現像装置３０へ向けてトナーを搬送するトナー搬送装置２９が設けられている。
【００３０】
現像装置３０は、感光体ドラム３２側に向かって開口する開口部３４が形成されている。この開口部３４から一部が露出するように、感光体ドラム３２へ現像剤を供給する現像剤供給体の一例としての現像ロール３６が現像装置３０に設けられている。
【００３１】
現像ロール３６は、現像剤中に含まれた磁性キャリアを磁力で保持し、表面に現像剤の磁気ブラシを形成し、現像剤を感光体ドラム３２と対向する位置へ搬送するようになっている。そして、露光装置２４によって感光体ドラム３２上に形成された静電潜像が、現像ロール３６上の現像剤（トナー）によってトナー画像として可視化されるようになっている。
【００３２】
転写ロール２６は、感光体ドラム３２に対向して配置され、感光体ドラム３２とで記録媒体Ｐを挟んで記録媒体Ｐを上方へ搬送するようになっている。転写ロール２６と感光体ドラム３２との間が、感光体ドラム３２に形成されたトナー画像が記録媒体Ｐに転写される転写位置Ｔとされている。
【００３３】
搬送部２２は、収容部１４に収容された記録媒体Ｐを送り出す送出ロール４６と、送出ロール４６によって送り出された記録媒体Ｐを１枚ずつに分離する分離ロール対４４と、記録媒体Ｐが搬送される搬送路４８と、搬送路４８に沿って配置され記録媒体Ｐを転写位置Ｔへ搬送する搬送ロール対４５と、を備えている。
【００３４】
定着装置６０は、加熱ロール６２と、加圧ロール６４と、を備えている。定着装置６０では、加熱ロール６２による加熱及び加圧ロール６４による加圧により、転写ロール２６によって記録媒体Ｐに転写されたトナー画像を、当該記録媒体Ｐへ定着するように構成されている。そして、この定着装置６０の上方側（搬送方向下流側）には、トナー画像が定着された記録媒体Ｐを排出部１８へ排出する排出ロール６６が設けられている。
【００３５】
（画像形成工程）
次に、画像形成装置１０における、記録媒体Ｐへ画像を形成する画像形成動作について説明する。
【００３６】
収容部１４から送り出された記録媒体Ｐが、搬送ロール４５によって転写位置Ｔへ送り込まれる。
【００３７】
一方、画像形成部５０では、感光体ドラム３２が帯電ロール２３によって帯電された後、露光装置２４によって露光されて、感光体ドラム３２に静電潜像が形成される。この静電潜像が現像装置３０によって現像されることで、感光体ドラム３２にトナー画像が形成される。そして、トナー画像は、転写ロール２６により転写位置Ｔにて記録媒体Ｐへ転写される。
【００３８】
トナー画像が転写された記録媒体Ｐは、定着装置６０へ搬送され、当該トナー画像が定着装置６０により定着される。トナー画像が定着された記録媒体Ｐは排出ロール６６により排出部１８へ排出される。
【００３９】
（送風機構）
次に、定着装置６０に外気を送り冷却する本実施形態の送風機の取付構造が適用された送風機構１００について説明する。
【００４０】
画像形成装置１０は、板金等で構成された図３に示す筐体１１と、筐体１１の外側に設けられた図１に示す外装カバー１３と、を有している。そして、前述した画像形成部５０や定着装置６０等は、図３に示す筐体１１内に設けられている。
【００４１】
図３に示すように、送風機構１００は、画像形成装置１０の筐体１１のＹ方向側の側板１１Ａに取り付けられた送風管の一例としての樹脂製のダクト１０２と、ダクト１０２の吸気口１１０に本実施形態の送風機の取付構造によって取り付けられた送風機の一例としてのファン２００と、を有している。
【００４２】
ダクト１０２は、ファン２００によって吸気された外気を定着装置６０の側面に導入する送風管として構成されている。なお、図１に示すように、画像形成装置１０の外側を構成する外装カバー１３には、吸気口１１０（図３参照）に対応する領域にスリット１７が形成されている。
【００４３】
図１２及び図４や図７等に示すように、本実施形態のファン２００は、回転羽根２０２とモータ（図示略）とが一体化された軸流ファンモータとされている。また、ファン２００は、外気を吸気する吸気ファンとされている。
【００４４】
なお、以降の説明では、ファン２００の吸気側を前方とし、ファン２００の排気を後方とし、ファン２００の送風方向（回転羽根２０２の回転軸方向）と直交する方向を側方向とする。また、図３に示すように、ファン２００が画像形成装置１０に取り付けられた状態では、装置幅方向のＹ方向が前面であり、−Ｙ方向が後面であり、装置上下方向のＺ軸方向と装置前後方向のＸ軸方向が側面となる。
【００４５】
図１２に示すように、ファン２００は、回転羽根２０２の回転軸方向（吸気方向）に見た外形が略正方形の前面２１２と後面２１４との間に四つの側面２１０Ａ，２１０Ｂ，２１０Ｃ，２１０Ｄを有する構造となっている（送風方向に扁平した略直方体状）。なお、四つの側面２１０Ａ，２１０Ｂ，２１０Ｃ，２１０Ｄを区別する必要がない場合には、Ａ，Ｂ、Ｃ，Ｄを省略して単に側面２１０と記載して説明する。
【００４６】
ファン２００の側面２１０Ａからは、制御部２０（図２参照）から電気が供給されると共に回転を制御するための信号が送られる電線の一例としてのハーネス２０４が引き出されている。
【００４７】
ファン２００の側面２１０には、緩衝部材の一例としての帯状のスポンジ２５０が巻かれ両面テープ等によって側面２１０に接着されている。また、スポンジ２５０の長手方向の一端部２５６と他端部２５８とが対向するように（近接するように）巻かれて接着されている。そして、スポンジ２５０の一端部２５６と他端部２５８との対向面間（隙間）２５７にハーネス２０４が配設されている。
【００４８】
なお、本実施形態では、帯状のスポンジ２５０の一端部２５６と他端部２５８とが対向し隙間があいていたが、一端部２５６と他端部２５８とが接触していてもよい。そして、一端部２５６と他端部２５８との接触面間にハーネス２０４が配設された構成であってもよい。
【００４９】
また、スポンジ２５０におけるファン２００の四つの側面２１０Ａ，２１０Ｂ，２１０Ｃ，２１０Ｄに対応する側面を、スポンジ側面２５０Ａ，２５０Ｂ，２５０Ｃ，２５０Ｄとする。また、スポンジ２５０の前面をスポンジ前面２５２とし、後面をスポンジ後面２５４とする。また、スポンジ前面２５２の側面２５０Ａ側の部分をスポンジ前面２５２Ａとし、側面２５０Ｃ側の部分をスポンジ前面２５２Ｃとする。
【００５０】
図４、図１０に示すように、ダクト１０２の上部は蓋部１４０で構成されている。蓋部１４０は、蓋部１４０に設けられた係合部１４４、１４６が、ダクト１０２側の被係合突起１４５、１４７に係合することで、ダクト１０２に固定されている。
【００５１】
図４、図７、図１０等に示すように、吸気口１１０には、ファン２００を吸気口１１０に取り付ける取付手段の一例としての取付部１２０が設けられている。
【００５２】
図４に示すように、取付部１２０は、下側の側面２１０Ｄ側に配置された下側面抑部１２４（図８も参照）と、−Ｘ方向の側面２１０Ｃ側に配置された横側面抑部１３２、１３４（図７、図８も参照）と、Ｘ方向の側面２００Ａ側に配置された横側面抑部１３６（図９、図１０も参照）と、上側の側面２００Ｂ側に配置された上側面抑部１４２（図７、図１０も参照）と、図５、図６、図９に示すファン２００の後面２１４側に配置された後面抑部１２２と、で構成されている。
【００５３】
図５、図６、図９に示すように、ファン２００の後面２１４側に配置された後面抑部１２２（図１１も参照）は、中央部分にファン２００よりも大きくスポンジ２５０よりも小さな開口が形成された枠状とされている。また、後面抑部１２２のＸ方向側と−Ｘ方向側のそれぞれ端部にはリブ１２２Ａが形成されている。リブ１２２Ａは、Ｚ軸方向に沿って形成されていると共に、Ｙ方向に突出し、スポンジ２５０のスポンジ後面２５４に当たっている。
【００５４】
図４、図５、図８、図９等に示すように、ファン２００の下側の側面２１０Ｄ側に配置された下側面抑部１２４は板状とされ、後面抑部１２２の下端部から前方側（Ｙ方向）に延出し、スポンジ２５０の下面２５０Ｄに当たっている。
【００５５】
図４、図７、図８等に示すように、ファン２００の−Ｘ方向の側面２１０Ｃ側に配置された横側面抑部１３２、１３４は、板状とされ、上下方向に間隔をあけて配置されている。
【００５６】
上側の横側面抑部１３２は、後面抑部１２２の側端部から前方側（Ｙ方向）に延出している。下側の横側面部１３４は、ダクト１０２の流路壁の端部１０５から下側（−Ｚ方向）に延出している。そして、横側面抑部１３２、１３４の前端部には、ファン２００側（Ｘ方向）に屈曲することで、スポンジ２５０のスポンジ前面２５２の−Ｘ方向側のスポンジ前面２５２Ｃに当たり抑える前面抑部１３３、１３５が形成されている。
【００５７】
図４、図９、図１０に示すように、ファン２００のＸ方向の側面２１０Ａ側に配置された横側面抑部１３６は板状とされ、後面抑部１２２の側端部から前方側（Ｙ方向）に延出している。横側面抑部１３６の前端部には、ファン２００側（−Ｘ方向）に屈曲することで、スポンジ２５０のスポンジ前面２５２のＸ方向側の前面２５２Ａに当たり抑える前面抑部１３７が形成されている。
【００５８】
図９、図１０に示すように、横側面抑部１３６の−Ｙ方向の後端部（根元部）には、上から下に向かって（−Ｚ方向に）切込部１３８が形成されている。
【００５９】
よって、図９に示すように、側面視においてＬ字形状となっている。そして、この切込部１３８にハーネス２０４が配設されることで、横側面抑部１３６とハーネス２０４とが干渉しないようになっている。
【００６０】
図４、図５、図７、図９、図１０に示すように、ファン２００の上側の側面２１０Ｂ側に配置された上側面抑部１４２は、板状とされ、ダクト１０２の上部を構成する蓋部１４０から前方側（Ｙ方向）に延出し、スポンジ２５０の上面２５０Ｂに当たっている。
【００６１】
なお、図４、図１０に示すように、上側面抑部１４２は、ダクト１０２の上部を構成する蓋部１４０と一体となって構成されている。
【００６２】
また、下側面抑部１２４、横側面抑部１３２、横側面抑部１３４、横側面抑部１３６、上側面抑部１４２は、それぞれ前側（Ｙ方向）又は下側（−Ｚ方向）に延出する板状の片持ち構造であるので、側方（−Ｚ方向、−Ｘ方向、Ｘ方向、Ｚ方向）に弾性変形可能である。
【００６３】
ここで、取付部１２０を構成する後面抑部１２２のリブ１２２Ａ、下側面抑部１２４、横側面抑部１３２及び前面抑部１３３、横側面抑部１３４及び前面抑部１３５、横側面抑部１３６及び前面抑部１３７、上側面抑部１４２は、それぞれスポンジ２５０にのみ接触し、ファン２００には接触していない。そして、これらの部材で構成された取付部１２０がスポンジ２５０を保持することで、ダクト１０２の吸気口１１０にファン２００が取り付けられている。
【００６４】
（取付方法）
つぎに、本実施形態の送風機構１００におけるファン２００のダクト１０２の吸気口１１０への取付方法について説明する。
【００６５】
まず、図１２に示すように、接着面に両面テープが貼られた状態の帯状のスポンジ２５０の一端部２５６をハーネス２０４の近傍の側面２１０Ａに接着したのち、スポンジ２５０を側面２１０Ｂ、側面２１０Ｃ、側面２５０Ｄの順番で巻き付けて接着し、他端部２５８をハーネス２０４の近傍に一端部２５６と対向（又は接触）するようにして接着する。
【００６６】
そして、図１１に示す上側面抑部１４２を含む蓋部１４０（図１０等を参照）が装着される前の状態（非装着状態）の吸気口１１０に、側面２１０にスポンジ２５０を接着したファン２００を、矢印Ｓ３で示すように上方から、横側面抑部１３２及び前面抑部１３３、横側面抑部１３４及び前面抑部１３５、横側面抑部１３６及び前面抑部１３７に沿ってスライド（移動）させて挿入する。
【００６７】
このとき図９に示すように、ハーネス２０４は、横側面抑部１３６の切込部１３８をスライドして挿入される。
【００６８】
そして、前述したように、図４、図１０に示すように、蓋部１４０を上側から装着し、蓋部１４０に設けられた係合部１４４、１４６が被係合突起１４５、１４７に係合することで、蓋部１４０がダクト１０２に固定されると共に、ファン２００がダクト１０２の吸気口１１０に取り付けられる。
【００６９】
（作用）
つぎに、本実施形態の作用について説明する。
【００７０】
前述したように、取付部１２０を構成する後面抑部１２２のリブ１２２Ａ、下側面抑部１２４、横側面抑部１３２及び前面抑部１３３、横側面抑部１３４及び前面抑部１３５、横側面抑部１３６及び前面抑部１３７、上側面抑部１４２は、それぞれスポンジ２５０にのみ接触し、ファン２００には接触していない。そして、取付部１２０がスポンジ２５０を保持することで、ダクト１０２の吸気口１１０にファン２００が取り付けられている。
【００７１】
ここで、図１３に示す本実施形態が適用されていない比較例の送風機構５００について説明する。
【００７２】
比較例の送風機構５００の樹脂製のダクト５０２の吸気口５１０に形成された、後面抑部５１２、上側面抑部５２０、横側面抑部５１４及び前面抑部５１５、横下側面抑部５１６及び前面抑部５１７によって、ファン２００が保持され吸気口５１０に取り付けられている。
【００７３】
よって、動作時のファン２００の振動が、後面抑部５１２、上側面抑部５２０、横側面抑部５１４及び前面抑部５１５、横下側面抑部５１６及び前面抑部５１７に伝播し、更にダクト５０２（吸気口５１０）に伝播し、この結果、ダクト５０２（吸気口５１０）にびびり音等の騒音が発生する。
【００７４】
これに対して、本実施形態の送風機構１００では、図４〜図１１に示すように、ダクト１０２の吸気口１１０の取付部１２０はスポンジ２５０にのみに接触して保持し、ファン２００には直接接触していない。よって、ファン２００の振動はスポンジ２５０を介してのみダクト１０２（吸気口１１０）に伝播する。そして、スポンジ２５０はファン２００の振動を吸収し減衰させるので、ダクト１０２（吸気口１１０）に伝播する振動は低減する。よって、比較例の送風機構５００と比較し、ファン２００による騒音が低減する。
【００７５】
また、下側面抑部１２４、横側面抑部１３２、横側面抑部１３６、上側面抑部１４２は、それぞれ前側に延出する板状の片持ち構造である。また、横側面抑部１３４は下側に延出する片持ち構造であり、弾性変形可能となっている。よって、側面抑部１２４、横側面抑部１３２、横側面抑部１３４、横側面抑部１３６、上側面抑部１４２が、それぞれ側方（−Ｚ方向、−Ｘ方向、Ｘ方向、Ｚ方向）に弾性変形することで、振動の伝播が抑制される。よって、これらの側面抑部１２４、横側面抑部１３２、横側面抑部１３４、横側面抑部１３６、上側面抑部１４２が弾性変形可能でない場合と比較し、ファン２００による騒音を更に低減させることができる。
【００７６】
なお、ファン２００は吸気方向（Ｙ方向）に付勢される。よって、少なくとも吸気側の前面抑部１３３、１３５、１３７がスポンジ２５０を抑える構成になっていればよく、後面抑部１２２はスポンジ２５０と接触しない構成であってもよい。
【００７７】
また、図１２に示すように、ファン２００の側面２１０に帯状のスポンジ２５０の一端部２５６と他端部２５８との対向面間２５７（又は接触面間）にハーネス２０４が配設されている。よって、側面２１０からハーネス２０４が引き出された構成であっても、ファン２００の側面２１０にスポンジ２５０を容易に接着することができる。
【００７８】
また、図１１に示すように、側面２１０にスポンジ２５０を接着したファン２００を、矢印Ｓ３（送風方向と交差する方向）に示すように上方から、横側面抑部１３２及び前面抑部１３３、横側面抑部１３４及び前面抑部１３５、横側面抑部１３６及び前面抑部１３７に沿ってスライドさせて挿入することで、送風方向（−Ｙ方向）に吸気口にファンを挿入する場合と比較し、（例えばスポンジ２５０が取付部１２０に引っ掛りにくいので）、ファン２００を吸気口１１０に容易に取り付けることができる。
【００７９】
また、別の観点から説明すると、横側面抑部１３２及び前面抑部１３３、横側面抑部１３４及び前面抑部１３５、横側面抑部１３６及び前面抑部１３７が、ファン２００をガイドするガイド部材を兼ねている。
【００８０】
（その他）
尚、本発明は、上記実施形態に限定されない。
【００８１】
例えば、上記実施形態では、スポンジ２５０はファン２００の側面２１０の略全周に亘って（正確には隙間２５７を除いて）、設けられているが、これに限定されない。例えば、側面抑部や前面抑部が抑える部位のみに部分的に設けられていてもよい。
【００８２】
また、上記実施形態では、上側面抑部１２４、横側面抑部１３２、横側面抑部１３４、横側面抑部１３６、上側面抑部１４２が、側方（側面２１０から離れる方向）に弾性変形可能であったたが、これに限定されない。上側面抑部１２４、横側面抑部１３２、横側面抑部１３４、横側面抑部１３６、上側面抑部１４２の少なくとも一つが側方（側面２１０から離れる方向）に弾性変形可能であればよい。要はファンの側面を抑える側面抑部の少なくとも一つが側方（側面から離れる方向）に弾性変形可能な構成であればよい。更に、いずれも弾性変形可能でない構成であってもよい。
【００８３】
例えば、上記実施形態では、ファンの側面に設けられた緩衝部材はスポンジ２５０であったが、これに限定されない。例えば、ゴムであってもよい。
【００８４】
また、上記実施形態では、送風機構１００（ダクト１０２）は、記録媒体Ｐに画像を定着させる定着装置６０に外気を導いたが、これに限定されない。定着装置以外の装置や部材に外気を導く送風機構（ダクト）であってもよい。
【００８５】
また、上記実施形態ではファン２００は、外気を吸気する吸気ファンであったがこれに限定されない。装置内の空気を装置外に排気する排気ファンであってもよい。なお、排気ファンの場合も、吸気側を前方とし排気側を後方とする。また、ファン（送風機）の種類も問わない。例えば、シロッコファンにも適用することができる。
【００８６】
また、画像形成装置の構成としては、上記実施形態の構成に限られず種々の構成とすることが可能である。また、画像形成装置以外の送風機構にも本発明を適用することができる。
【００８７】
更に、本発明の要旨を逸脱しない範囲において、種々なる態様で実施し得ることは言うまでもない。
【符号の説明】
【００８８】
１０      画像形成装置
５０      画像形成部
６０      定着装置
１０２      ダクト（送風管の一例）
１２０      取付部（取付手段の一例）
１２２      後面抑部
１２４      下側面抑部（側面抑部の一例）
１３２      横側面抑部（側面抑部の一例）
１３３      前面抑部
１３４      横側面抑部（側面抑部の一例）
１３５      前面抑部
１３６      横側面抑部（側面抑部の一例）
１３７      前面抑部
１４２      上側面抑部（側面抑部の一例）
２００      ファン（送風機の一例）
２０４      ハーネス（電線の一例）
２１０      側面
２５０      スポンジ（緩衝部材の一例）
２５６      一端部
２５８      他端部
【図１】
2014185568.tif 000003
【図２】
2014185568.tif 000004
【図３】
2014185568.tif 000005
【図４】
2014185568.tif 000006
【図５】
2014185568.tif 000007
【図６】
2014185568.tif 000008
【図７】
2014185568.tif 000009
【図８】
2014185568.tif 000010
【図９】
2014185568.tif 000011
【図１０】
2014185568.tif 000012
【図１１】
2014185568.tif 000013
【図１２】
2014185568.tif 000014
【図１３】
2014185568.tif 000015